【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】
第１のトランシーバと第２のトランシーバとの間の無線通信のためのデータ速度をダイナミックに割当てる方法において、
第１のトランシーバから第２のトランシーバへ第１の予め定められたパワーレベルおよび第１のデータ速度でデータを送信し、
第２のトランシーバでそのデータを受信し、
受信されたデータの受信されたパワーレベルを感知し、
予め定められた周波数バンドパワーバジェットに関する比較処理に応答して、他のデータを送信する前記第１のデータ速度とは異なる第２のデータ速度を決定し、前記第２のデータ速度は受信されたデータの受信されたパワーレベルに基づいて決定され、
第２のトランシーバから第１のトランシーバへ第２のデータ速度および第２のパワーレベルで他のデータを送信し、第２のデータ速度を決定するステップは第１のトランシーバにより送信されるデータを受信した後に行われる他のデータの送信に反復して使用され、
第１のトランシーバで前記他のデータを受信し、
受信された他のデータの受信されたパワーレベルを感知し、
さらに受信されたデータの受信されたパワーレベルから変更された第１のデータ速度を決定し、
変更された第１のデータ速度で第１のトランシーバから第２のトランシーバへ更にデータを送信するステップを含んでいる方法。
【請求項２】
受信された前記さらに別のデータの受信パワーレベルを感知し、
受信された前記さらに別のデータの受信パワーレベルから変更された第２のデータ速度を決定し、
変更された第２のデータ速度で第２のトランシーバから第１のトランシーバへ更に他のデータを送信するステップをさらに含んでいる請求項１記載の方法。
【請求項３】
データおよび前記さらに別のデータを送信するステップは５．７２５乃至５．８２５ＧＨｚの帯域内で送信し、前記他のデータと前記さらに別のデータを送信するステップは５．２５乃至５．３５ＧＨｚの帯域と５．１５乃至５．２５ＧＨｚの帯域の一方で送信する請求項２記載の方法。
【請求項４】
データおよび前記さらに別のデータを送信するステップは５．７２５乃至５．９２５ＧＨｚの帯域内で送信し、前記他のデータおよび前記さらに別の他のデータを送信するステップは５．２５乃至５．３５のＧＨｚ帯域と５．１５乃至５．２５ＧＨｚの帯域の両者内で送信する請求項２記載の方法。
【請求項５】
前記第１のパワーレベルは前記第２のパワーレベルよりも大きい請求項２記載の方法。
【請求項６】
前記変更された第１のデータ速度は第１のデータ速度とは異なっている請求項１記載の方法。
【請求項７】
前記変更された第１のパワーレベルは第１のパワーレベルとは異なっている請求項１記載の方法。
【請求項８】
前記受信された他のデータの受信されたパワーレベルを感知し、前記変更された第１のデータ速度を決定するステップは、第１のトランシーバにより行われる請求項１記載の方法。
【請求項９】
前記受信された他のデータの受信されたパワーレベルを感知し、前記変更された第１のデータ速度を決定し、さらに別のデータを送信するステップは、前記第１のトランシーバで前記他のデータを受信する反復されたステップ期間中に、第１のデータパケットの送信を第２のデータパケットの受信後にそれぞれ行わせるために反復される請求項１記載の方法。
【請求項１０】
前記第１のパワーレベルと前記第１のデータ速度、および前記第２のパワーレベルと前記第２のデータ速度は各反復的な送信に対して異なるように適合されることができる請求項９記載の方法。
【請求項１１】
前記第２のデータパケットのうちの特定の１つが受信された後に送信される前記第１のデータパケットのうちの少なくとも１つは複数のパケットを含んでいる請求項１０記載の方法。
【請求項１２】
前記第２のデータパケットのうちの特定の１つは複数のパケットを含んでいる請求項１１記載の方法。
【請求項１３】
前記さらに別のデータを送信するステップは、前記第１のデータ速度を含む各前記第１のデータパケットの一部を予め定められた低速度で送信し、その後残りの各データパケットを前記第１のデータ速度で送信する請求項９記載の方法。
【請求項１４】
前記さらに別のデータを送信するステップは、複数の予め定められたデータ速度のうちの１つから選択された第１のデータ速度で送信する請求項９記載の方法。
【請求項１５】
前記受信されたデータの受信されたパワーレベルを感知し、第２のデータ速度を決定し、前記他のデータを送信するステップは、前記第２のトランシーバでデータを受信する反復されたステップ期間中に、第２のデータパケットの送信を第１のデータパケットの受信後にそれぞれ行わせるように反復される請求項９記載の方法。
【請求項１６】
前記第１のパワーレベルと前記第１のデータ速度、および前記第２のパワーレベルと前記第２のデータ速度は各反復的な送信において異なるように適合されることができる請求項１５記載の方法。
【請求項１７】
前記第１のデータパケットのうちの特定の１つが受信された後に送信される前記第２のデータパケットのうちの少なくとも１つは複数のパケットを含んでいる請求項１６記載の方法。
【請求項１８】
前記第２のデータパケットのうちの特定の１つは複数のパケットを含んでいる請求項１７記載の方法。
【請求項１９】
前記データと前記他のデータを送信するステップは、それぞれ前記第１及び第２のデータ速度を含む各前記第１及び第２のデータパケットの一部を予め定められた低速度でそれぞれ送信し、その後残りの各第１及び第２のデータパケットをそれぞれ前記第１および第２のデータ速度で送信する請求項１５記載の方法。
【請求項２０】
前記データおよび前記他のデータを送信するステップは、複数の予め定められたデータ速度の１つからそれぞれ選択された第１および第２のデータ速度でそれぞれ送信する請求項１５記載の方法。
【請求項２１】
前記さらに受信されたデータの受信されたパワーレベルを感知し、前記第２のデータ速度を決定するステップは、前記第２のトランシーバにより行われる請求項２記載の方法。
【請求項２２】
無線通信のデータ速度をダイナミックに割当てる装置において、
第１のトランシーバと、
第２のトランシーバとを具備し、
第１のトランシーバは、第１のパワーレベルおよび第１のデータ速度で前記第２のトランシーバへデータを送信する第１の手段を含んでおり、
第２のトランシーバは、
第１のデータを受信する第２の手段と、
受信されたデータの受信パワーレベルを感知する第２の手段と、
第２のパワーレベルおよび第２のデータ速度で前記第１のトランシーバへ第２のデータを送信する第２の手段と、
予め定められた周波数バンドパワーバジェットに関する比較処理に応答して、第２のデータを送信する前記第２のデータ速度を決定し、前記第２のデータ速度は受信されたデータの受信されたパワーレベルに基づいて決定され、前記第１のデータ速度とは異なっており、第１のトランシーバにより送信される第１のデータを受信した後に第２のデータの送信に対して反復して使用される第２の手段とを含んでいる装置。
【請求項２３】
前記第１のトランシーバはさらに、
第２のデータを受信する第１の手段と、
受信された第２のデータの受信パワーレベルを感知する第１の手段と、
さらに第１のデータを送信する変更された第１のデータ速度を決定する第１の手段とを具備し、前記変更された第１のデータ速度は受信された第２のデータの受信パワーレベルに基づいて決定され、
第１のトランシーバはさらに、変更された第１のデータ速度および変更された第１のパワーレベルで前記さらに別の第１のデータを第２のトランシーバへ送信する第１の手段を具備しており、
第２のトランシーバはさらに、前記さらに別の第１のデータを受信する第２の手段を具備している請求項２２記載の装置。
【請求項２４】
第１のトランシーバはさらに、
受信された前記さらに別の第２のデータの受信パワーレベルを感知する手段と、
受信された前記さらに別の第２のデータの受信パワーレベルが受信された第２のデータの受信パワーレベルから第２の予め定められた量だけ変化される場合には変更された第２のデータ速度を再度決定する手段をさらに含んでいる請求項２３記載の装置。
【請求項２５】
前記第２のデータを受信する前記第１の手段と前記第１のデータを受信する前記第２の手段はそれぞれ多数のアンテナを含んでいる請求項２３記載の装置。
【請求項２６】
前記変更された第１のデータ速度は前記第１のデータ速度とは異なっている請求項２３記載の装置。
【請求項２７】
前記変更された第１のデータパワーレベルは前記第１のパワーレベルとは異なっている請求項２６記載の装置。
【請求項２８】
前記決定するための第１の手段は、第２のデータパケットを受信するための前記第１の手段により受信された後にそれぞれ行われる第１のデータパケットの送信のために反復的に使用される請求項２３記載の装置。
【請求項２９】
前記第１のパワーレベルと前記第１のデータ速度、および前記第２のパワーレベルと前記第２のデータ速度は各反復的な送信に対して異なるように適合されることができる請求項２３記載の装置。
【請求項３０】
前記第２のデータパケットのうちの特定の１つが決定するための前記第１の手段によって受信された後に、送信される前記第１のデータパケットの少なくとも１つは複数のパケットを含んでいる請求項２９記載の装置。
【請求項３１】
前記第２のデータパケットの特定の１つは複数のパケットを含んでいる請求項３０記載の装置。
【請求項３２】
送信するための前記第１の手段は、前記第１のデータ速度を含む各前記第１のデータパケットの一部を予め定められた低速度で送信し、その後残りの各第１のデータパケットを前記第１のデータ速度で送信する請求項２８記載の装置。
【請求項３３】
前記第１のデータ速度は、複数の予め定められたデータ速度の１つから選択される請求項２８記載の装置。
【請求項３４】
決定するための前記第２の手段は、第１のデータパケットを受信するための第２の手段により受信された後にそれぞれ行われる第２のデータパケットの送信に反復して使用される請求項２８記載の装置。
【請求項３５】
前記第１のパワーレベルと前記第１のデータ速度、および前記第２のパワーレベルと前記第２のデータ速度は各反復的な送信に対して異なるように適合されることができる請求項２３記載の装置。
【請求項３６】
決定するための前記第２の手段によって前記第１のデータパケットのうちの特定の１つが受信された後に送信される前記第２のデータパケットの少なくとも１つは複数のパケットを含んでいる請求項１６記載の装置。
【請求項３７】
前記第２のデータパケットの特定の１つは複数のパケットを含んでいる請求項３６記載の装置。
【請求項３８】
送信するための前記第１及び第２の各手段は、それぞれ前記第１及び第２のデータ速度を含む前記各第１及び第２のデータパケットの一部を予め定められた低速度でそれぞれ送信し、その後残りの各第１及び第２のデータパケットをそれぞれ前記第１および第２のデータ速度で送信する請求項３４記載の装置。
【請求項３９】
前記第１のデータ速度および前記第２のデータ速度は、複数の予め定められたデータ速度のうちの１つから選択される請求項３４記載の装置。
【請求項４０】
第１のパワーレベルと第１のデータ速度でデータを中継器へ送信するための手段を含んでいる第１の基地局のトランシーバと、
少なくとも第１および第２の端末装置のトランシーバとを含んでいる複数の端末装置と、
中継器とを具備し、
前記中継器は、
データを受信する手段と、
第２のデータ速度と第２のパワーレベルでデータの第１の部分を第１の端末装置のトランシーバへ送信する手段と、
第３のデータ速度と第３のパワーレベルでデータの第２の部分を第２の端末装置のトランシーバへ送信する手段とを含んでおり、
前記第１および第２の端末装置のトランシーバはそれぞれ、
受信されたデータの受信パワーレベルを感知する手段と、
さらに別のデータを送信する前記第２および第３のデータ速度とは異なる変更されたデータ速度を決定する手段とを具備し、前記変更されたデータ速度は受信されたデータの受信パワーレベルに基づいて決定される最大のデータ速度を有し、
データの第１の部分を送信する手段と、データの第２の部分を送信する手段はそれぞれ変更されたデータ速度で前記さらに別のデータを中継器へ送信するようにそれぞれ適合されている装置。
【請求項４１】
前記第１および第２の端末装置のトランシーバはさらに、
受信された前記さらに別のデータの受信パワーレベルを感知する手段と、
受信された前記さらに別のデータの受信パワーレベルが受信されたデータの受信パワーレベルから予め定められた量だけ異なる場合には、変更されたデータ速度を再度決定する手段をさらに含んでいる請求項４０記載の装置。
【請求項４２】
中継器は複数の中継器トランシーバを含んでおり、異なる複数の各端末装置の各トランシーバに対して１つの中継器トランシーバが存在し、
データおよび前記さらに別のデータを受信する手段は関連される複数の端末装置のトランシーバに対応して、１つの中継器トランシーバに前記さらに別のデータを受信させる請求項４１記載の装置。
【請求項４３】
データおよび前記さらに別のデータを送信する各手段は、５．７２５乃至５．８２５ＧＨｚの帯域を使用して、第１および第２の中継器トランシーバからそれぞれ第１および第２の複数の端末装置のトランシーバへ送信する請求項４２記載の装置。
【請求項４４】  前記第１および第２の複数の端末装置のトランシーバは、それぞれ第４および第５のデータ速度で、５．２５乃至５．３５ＧＨｚの帯域および５．１５乃至５．２５ＧＨｚの帯域の一方を使用してそれぞれ第４及び第５のパワーレベルで各中継器へ第２のデータの第１及び第２の部分を送信する手段をそれぞれ含んでいる請求項４３記載の装置。
【請求項４５】  前記第１および第２の各中継器は、５．７２５乃至５．８２５ＧＨｚの帯域を使用して基地局のトランシーバへ第２のデータを送信する手段をそれぞれ含んでいる請求項４４記載の装置。
【請求項４６】  データおよび前記さらに別のデータを送信する手段は、５．２５乃至５．３５ＧＨｚの帯域および５．１５乃至５．２５ＧＨｚの帯域の一方を使用して中継器から第１および第２の端末装置のトランシーバへ送信する請求項４１記載の装置。
【請求項４７】  前記第１および第２の端末装置のトランシーバはそれぞれ５．２５乃至５．３５ＧＨｚの帯域および５．１５乃至５．２５ＧＨｚの帯域の他方を使用してそれぞれ第４及び第５のパワーレベルで中継器へ第２のデータの第１及び第２の部分を送信する手段を含んでいる請求項４６記載の装置。
【請求項４８】  中継器は５．７２５乃至５．８２５ＧＨｚの帯域を使用して第６のパワーレベルで基地局のトランシーバへ第２のデータを送信する手段をさらに含んでいる請求項４７記載の装置。
【請求項４９】  前記第１のパワーレベルは前記第２のパワーレベルよりも大きい請求項４７記載の装置。
【請求項５０】
複数の中継器および第２の複数の端末装置のトランシーバが含まれており、１つの中継器および対応する端末装置は１つの部屋にあり、別の中継器および対応する端末装置が別の部屋にある請求項４０記載の装置。
【請求項５１】  複数の中継器および第２の複数の端末装置のトランシーバが含まれており、１つの中継器および対応する端末装置は１つのビルディングにあり、別の中継器および対応する端末装置が別のビルディングにある請求項４０記載の装置。
【請求項５２】
各前記第１の基地局のトランシーバと、前記複数の端末装置と、前記中継器は多数のアンテナを含んでいる請求項４０記載の装置。
【請求項５３】
前記第１の基地局のトランシーバは５．７２５乃至５．８２５ＧＨｚの帯域内でデータを送信する手段を含んでいる請求項４０記載の装置。